(57)【要約】      （修正有）【課題】におい成分を認知したときよりも前にさかのぼって、におい成分の情報を入力し表示（記録）できるようにするにおい嗅ぎシステムを提供する。【解決手段】ガスクロマトグラフと、表示装置及び入力装置を有する制御装置１１と、分離カラム３の出口端から検出器５へ導かれる前段で分岐されたガスのにおい成分を認知するにおい嗅ぎポート８を備え、制御装置は、ガスクロマトグラフの検出器からの信号と、評価者がにおいを認知したときに操作する入力装置１２からのにおい嗅ぎ信号とを同期して取り込み、検出器からの信号の保持時間を基準として両信号を対応づけて表示装置に表示するにおい嗅ぎシステムにおいて、制御装置は、検出器からの信号の保持時間に対応するにおい嗅ぎ信号の保持時間をマウスのクリックで指定することにより、保持時間のにおい嗅ぎ信号を入力できるダイアログを表示装置に表示する。【選択図】図１
0003218125.tif 000002
【実用新案登録請求の範囲】
【請求項１】
分離カラムの入口端に試料ガスを供給する試料導入部、分離カラム、検出器を有するガスクロマトグラフと、表示装置及び入力装置を有する制御装置と、分離カラムの出口端から検出器へ導かれる前段で分岐されたにおい成分ガスのにおい成分を評価者が認知するにおい嗅ぎポートを備え、制御装置は、ガスクロマトグラフの検出器からの信号と、評価者がにおいを認知したときに操作する入力装置からのにおい嗅ぎ信号とを同期して取り込み、検出器からの信号の保持時間を基準として両信号を対応づけて表示装置に表示するようにしたにおい嗅ぎシステムにおいて、前記制御装置は、前記検出器からの信号の保持時間に対応する前記におい嗅ぎ信号の保持時間を指定することにより、当該保持時間のにおい嗅ぎ信号を入力できるダイアログを前記表示装置に表示できるようにしたことを特徴とする臭い嗅ぎシステム。
【請求項２】
請求項１記載のにおい嗅ぎシステムにおいて、前記におい嗅ぎ信号の保持時間の指定は、当該保持時間をマウスによってクリックすることにより実行されることを特徴とするにおい嗅ぎシステム。
【考案の詳細な説明】
【技術分野】
【０００１】
本考案は、においを分析するにおい嗅ぎガスクロマトグラフィ（ＧＣ）、におい嗅ぎガスクロマトグラフィ質量分析装置（ＧＣＭＳ）などのにおい嗅ぎシステムに関する。
【背景技術】
【０００２】
におい嗅ぎシステムとは、キャリアガスにより試料ガスを試料気化室などの試料導入部を経て分離カラムへ導入し、におい成分を分離カラムで分離した後、水素炎イオン化検出器（ＦＩＤ）や質量分析計（ＭＳ）などの検出器へ導かれるにおい成分ガスの一部を分岐し、検出器による検出と同時に実際にヒトの嗅覚によりにおいを嗅ぐ機器として、食品などのキーとなる香気成分の同定、材料や環境からの異臭分析など幅広い用途で使用されている。
【０００３】
におい嗅ぎシステムでにおいの分析を行う場合、通常、ヒトの嗅覚では感じない物質も水素炎イオン化検出器や質量分析計などの検出器では検出してしまうため、実際に分離されたにおい成分ガスがヒトの嗅覚でにおうか、におわないかを判定する必要がある。
このため検出器へ導かれる前段で分岐されたにおい成分ガスは、ヒトが嗅覚によりにおいを嗅ぐにおい嗅ぎポートへトランスファーラインを経由して導入され、保持時間（リテンションタイム）と検出器の信号から、実際にヒトがにおいを嗅いでヒトの嗅覚で感じるにおい成分（物質）として同定することが行われる。
【０００４】
におい嗅ぎシステムによるにおいの分析は、におい嗅ぎシステムにより分析作業を行う分析者と、におい嗅ぎポートから吐出されるにおい成分を嗅いで嗅覚により官能評価を行う評価者によって実施される。
なお、通常、官能評価にあたっては、評価者が妨害となるようなにおい成分のない環境下で評価に集中できるように配慮するとともに、におい嗅ぎポートの高さや配置などは、楽な姿勢で官能評価ができるよう配慮され、またカラムオーブン内の分岐素子からカラムオーブン外にあるにおい嗅ぎポートまでのトランスファーラインの配管長は少なくとも１ｍ前後の長さが確保されている。
【０００５】
におい嗅ぎシステムでの官能評価の結果は、検出器からの出力であるクロマトグラムと関連づけて表示もしくは記録される。例えば、検出器で検出されたにおい成分ガスが嗅覚によっても認知されたときには、紙のチャートに描かれているクロマトグラムのピークに合わせて手書きでにおい強度や保持時間を記述していた。
また、におい嗅ぎポートでにおい成分を嗅いだときに、入力装置のダイヤルを操作することによりにおい強度を制御装置（データ処理装置）に入力してクロマトグラムと併記してにおい嗅ぎ情報を言葉などにより表現するようにしていた。しかし、この場合には、におい嗅ぎポートへにおい成分が次々短時間で到達してくるため、評価者は入力装置により単純化された複数のイメージ画像から１つのイメージ画像や色を選択して入力し、分析終了後に、イメージ画像が選択された時間とイメージ画像からにおい成分の情報を言葉で表現するようにしている（例えば、特許文献１参照）。
【先行技術文献】
【特許文献】
【０００６】
【特許文献１】特開２０１２−１７７５８４号公報
【考案の概要】
【考案が解決しようとする課題】
【０００７】
しかし、評価者が簡単な操作でイメージ画像を選択して入力することを可能にしたとしても、においが微かにしはじめ、におっているかどうか分からなくて、しばらくしてからにおいがしていたと評価者が判断したときには、イメージ画像の入力のタイミングとクロマトグラムの保持時間が異なることになる。また、そもそも入力装置の操作を怠ったときには、メモ用紙にメモしておき分析終了後に追記する必要があった。
本考案は、においを嗅ぎながら、におい成分を認知したときよりも前にさかのぼって、におい成分の情報を入力し表示（記録）することができるようにしたにおい嗅ぎシステムを提供することを目的とする。
【課題を解決するための手段】
【０００８】
上記課題を解決するため、請求項１記載の本考案のにおい嗅ぎシステムは、分離カラムの入口端に試料ガスを供給するサンプル注入部、分離カラム、検出器を有するガスクロマトグラフと、表示装置及び入力装置を有する制御装置と、分離カラムの出口端から検出器へ導かれる前段で分岐されたにおい成分ガスのにおいを評価者が認知するにおい嗅ぎポートを備え、制御装置は、ガスクロマトグラフの検出器からの信号と、評価者がにおいを認知したときに操作する入力装置からのにおい嗅ぎ信号とを同期して取り込み、検出器からの信号の保持時間を基準として両信号を対応づけて表示装置に表示するようにしたにおい嗅ぎシステムであって、制御装置は、検出器からの信号の保持時間に対応するにおい嗅ぎ信号の保持時間を指定することにより、当該保持時間のにおい嗅ぎ信号を入力できるダイアログを表示装置に表示できるようにしたものである。
【０００９】
におい嗅ぎ信号としては、例えば、指定された保持時間におけるピークであり、ピーク（保持時間）からにおい成分の種類、ピークの高さからにおい成分の強度の情報が表示されることになる。
【００１０】
また、請求項２記載の本考案のにおい嗅ぎシステムは、請求項１記載のにおい嗅ぎシステムであって、におい嗅ぎ信号の保持時間の指定は、当該保持時間をマウスによってクリックすることにより実行できるようにしたものである。
【考案の効果】
【００１１】
本考案のにおい嗅ぎシステムによれば、においを嗅ぎながら、においを認知したときよりも、例えば数秒前にさかのぼって、におい成分の情報を入力し表示することができるので、評価者において、においが微かにし始め最初はにおっているかどうか分からなくて、しばらくしてからにおいがしていたと判断したときにも対応することができる。すなわち
あとからでも検出器からのクロマトグラムの保持時間に合わせてにおい嗅ぎ信号を入力し表示（記録）することができる。また、評価者が入力装置の操作を怠ったときにも、におい成分の情報をさかのぼって入力することができ、分析ミスを回避することができる。
また、通常、においを嗅ぐという作業は、非常に神経を使うものであり、次々と吐出されてくるにおい成分を嗅ぎそこなうのではないかと心配で、においを嗅げなくなることもあるが、あとからでも入力できることは安心してにおいを嗅ぐことができるという心理的効果もはかりしれない。
【図面の簡単な説明】
【００１２】
【図１】本考案のにおい嗅ぎシステムの基本構成を示す図である。
【図２】本考案のにおい嗅ぎシステムにおける表示装置の表示画面の一例を示す図であって、（Ａ）は嗅覚によるにおい嗅ぎ信号の入力を怠ったときの画面、（Ｂ）はさかのぼってにおい嗅ぎ信号を入力したときの画面、を示す図である。
【考案を実施するための形態】
【００１３】
以下、図面を用いて本考案のにおい嗅ぎシステムを説明する。
図１は、本考案のにおい嗅ぎシステムの基本構成を示す図で、キャリアガスボンベ（図示せず）から供給されるキャリアガスにより試料気化室などの試料導入部１から注入された試料ガスがカラムオーブン２内に配置されている分離カラム３に導入される。試料ガスは分離カラム３で分離され、主流路４を通って、例えば水素炎イオン化検出器などの検出器５に導入される。
分離カラム３の出口に設けられた四方分岐素子６により主流路４から分岐されたキャピラリ副流路７の末端には、評価者が嗅覚によりにおい成分を嗅ぐためのにおい嗅ぎポート８が設けられている。また、四方分岐素子６にはメイクアップガス供給部９に通じる流路が接続されている。メイクアップガスは四方分岐素子６の内部圧力を一定にし、分岐流量比の変動を抑え、検出器５が質量分析計の場合にはにおい嗅ぎポート８から大気を吸引しないようにする。
【００１４】
におい嗅ぎポート８は、評価者自身の嗅覚によりにおい成分を検知するための漏斗状の器具である。におい成分ガスは、四方分岐素子６にて分岐され、加湿空気（図示せず）とともににおい嗅ぎポート８へ導かれ、におい嗅ぎポート８から吐出され、評価者がにおい成分を嗅覚により嗅ぐが、加湿空気はにおい嗅ぎの途中で評価者の鼻腔内の粘膜が乾燥することを防止する。
四方分岐素子６と、におい嗅ぎポート８の間は、加熱ヒータで被覆された加熱導管からなるトランスファーライン１０で接続されている。
【００１５】
検出器５で得られた信号は制御装置１１に入力される。制御装置１１は表示装置（図示せず）及び評価者により操作される入力装置１２を有しており、ガスクロマトグラフのカラムオーブン２の温度などを制御しながら、検出器５からの出力信号と、入力装置１２からのにおい嗅ぎ信号を同期して取り込み、データ処理されて、分析中、制御装置１１における表示装置１２の画面には、図２に示すように、保持時間を基準としてクロマトグラムと入力装置１２からのにおい嗅ぎ信号を対応づけて表示されている。
【００１６】
図２において、表示装置の表示画面（Ａ）は、検出器（水素炎イオン化検出器）５ではにおい成分ガスが検出され、クロマトグラムが保持時間とともに表示されている（図２（Ａ）上段参照）。
一方、クロマトグラムのある保持時間に出現しているピーク（矢印参照）に対応する保持時間におけるおい嗅ぎ信号は表示されていない（図２（Ａ）下段参照）。これは、評価者が当該ピークに相当するにおい成分を嗅覚で認知できなかったのか、それともにおい成分が微弱で、においがしたと判断したときには次のピーク（におい成分）きていて入力装置１２を操作することができなかったのか、あるいは、においはしていたが入力装置１２の操作を怠ったのか判別することができない。
【００１７】
評価者がにおい成分を嗅覚で認知できなかった場合はかまわないが、次のにおい成分（ピーク）がきていて評価者が入力装置１２を操作することができなかったときや、においはしていたが入力装置１２の操作を怠ったときには誤った分析結果を招くことになる。
このようなとき、クロマトグラムの当該ピークに対応するにおい嗅ぎ信号の保持時間をマウス（図示せず）でクリックすると、表示画面に図２（Ａ）下段に示すダイアログ１３が表示される。
ダイアログ１３には、制御装置に記憶されている保持時間からマウスでクリックした保持時間が呼び出されてあらかじめ表示されるとともに、強度信号入力画面が表示され、例えば入力装置１２からにおい嗅ぎ信号の強度を入力し、ＯＫボタン押すことにより、図２（Ｂ）に示すとおり、クロマトグラムの当該ピークに対応するにおい嗅ぎ信号（ピーク）が数秒前にさかのぼって表示される。
また、制御装置１１における保持時間記憶、呼び出し等の各種機能はコンピュータ（図示せず）に組み込まれている。
【００１８】
ダイアログ１３へのにおい嗅ぎ信号の強度の入力は、おい嗅ぎ信号の入力装置１２からの入力だけでなく、数値入力、スライダやマウスでのクリックなどが利用できる。
【符号の説明】
【００１９】
１  ・・・試料導入部
２  ・・・カラムオーブン
３  ・・・分離カラム
４  ・・・主流路
５  ・・・検出器
６  ・・・四方分岐素子
７  ・・・キャピラリ副流路
８  ・・・におい嗅ぎポート
９  ・・・メイクアップガス供給部
１０  ・・・トランスファーライン
１１  ・・・制御装置
１２  ・・・入力装置
１３  ・・・ダイアログ
【図１】
0003218125.tif 000003
【図２】
0003218125.tif 000004